(57)【特許請求の範囲】
【請求項１】
水生生物を養殖するシステムであって、
熱源装置と、
養殖用水を貯める温調水槽と、
前記熱源装置内に配置される熱媒体熱交換器と、
前記温調水槽内に配置された養殖用水熱交換器と、
前記熱媒体熱交換器内および前記養殖用水熱交換器内に熱媒体を循環させる
熱媒体循環ポンプと、
前記温調水槽内の養殖用水が給水され、その中で水生生物を養殖する飼育水槽を有する水生生物養殖システムにおいて、
前記熱源装置が空調機を有する空調室である水生生物養殖システム。
【請求項２】
前記温調水槽を設置する貯水室と、前記飼育水槽を設置する飼育室が別室に設けられている、
請求項１に記載の水生生物養殖システム。
【発明の詳細な説明】
【技術分野】
【０００１】  本発明は、水生生物の室内養殖に関し、特に振動、騒音の少ない養殖水槽の構成に関する。
【背景技術】
【０００２】  近年海洋汚染や漁業権、自然環境保護等の問題により資源として海洋生物を捕獲するのが困難になってきている。【０００３】  また、沿岸での養殖にしても、養殖する水生生物により適温が異なり、さらに、近年の海水温度の上昇なども影響して、海から採取した水をそのまま使用できない場合がある。そのため海から養殖用水を採取して使用する場合は養殖水槽で温度を調節して使用することが必要になる場合がある。そして、水生生物の種類によってそれぞれ養殖に適した温度範囲があり、それに合わせることが養殖の成否に影響するので、水槽の温度制御が重要になっている。【０００４】  一方、水生生物には振動や騒音に敏感な種類がある。水生生物の中で、たとえば鮑などの貝類は振動があるとえさの食いつきが極端に悪くなり、成長が止まり、場合によっては死んでしまうこともある。そのため養殖環境においては振動・騒音の発生を極力抑え、また発生しても養殖する水槽に伝わらないようにしなければならない。【０００５】  しかし、養殖水槽に養殖用水を送る場合、高度差を利用して水を流す流下式で送水できればよいが、ポンプを使用するとポンプ自体やそれに使用するモーターなどからどうしても騒音と振動が発生する。
【先行技術文献】
【特許文献】
【０００６】
【特許文献１】特開平１１−７５６１８
【特許文献２】特開２０１２−１８４９１０
【０００７】  特許文献１には水生生物が飼育されている水槽の上部にろ過器と冷却・加熱器が設置され、水槽内の水をポンプで循環させる例が示されている。
この装置においては水槽１内の水をポンプ２でろ過器３に汲み上げ、ろ過された水を冷却・加熱機４に落とし込み、温度調節した水を排水口７から水槽へ注いでいる。
この場合ポンプ２は水槽１上に配置されたろ過機に固定されている。
但し、振動・騒音に関する記載は無い。【０００８】  特許文献２は振動や騒音を防止する温水暖房装置に関する発明である。
この発明の明細書には、「筐体の底面を構成するベースにベース支えを立設して、このベース支え上部にシスタンベースを固定し、更にこのシスタンベースから取付板を立設して、シスタンタンク側面にはシスタン固定金具を溶接し、この固定金具と取付板をネジ止めし、シスタンタンクはシスタンベースの上方に位置しシスタンタンクとシスタンベースの間には、片側底面に防振ゴムを備え、他端側を前記取付板にネジ止めした水槽トレーを設け、この水槽トレー上にクッション材を介してシスタンタンクを設けたので、シスタンタンクと水槽トレーの側面の一方向のみがネジ止めされ他方向は防振ゴムとクッション材によって２重に振動を吸収するので、シスタンタンクから発生する振動や騒音を更に小さくすることができるものである。」と、振動や騒音が伝わらない様な構造が記載されている。
【発明の概要】
【発明が解決しようとする課題】
【０００９】  従来は、一例をあげれば前述のように、水槽の温度制御を行うため、特許文献２に示すような温水暖房装置を使った水を温めたり、ほぼ同様な構成の装置の冷媒を逆向きに流すことにより水を冷やしたりしていた。
前述のようにある種の海洋生物は音や振動に非常に敏感なため、極力振動、騒音を発生しない水槽の温度制御を行う必要がある。しかし特許文献２に示す方法では大掛かりになり、それでも振動・騒音を完全に防ぐことは難しい。【００１０】  また、特許文献２に記載の装置出では、防振ゴムやクッション材を使用しているとはいえ、ポンプユニットのモーターやポンプは大きな振動・騒音源であり、その伝達を防ぐためにゴムなどの弾力材を使用しても十分には防ぎきれない場合が多く、それが養殖業者の悩みの種であった。【００１１】  そこで、水生生物を養殖する本発明のシステムにおいては、極力振動と騒音を発生させない、または発生してもそれを飼育水槽に伝えないという両面から検討する中で、水槽位置の高度差を利用して流下式にし、振動・騒音源であるポンプを使用しない方法が考えられる。それが採用できればもちろん好ましい。【００１２】  しかし流下式にして養殖水槽へ水を流せる場合は良いが、むしろポンプを使用しなければ水槽内の水を移動できない場合が多い。また養殖水槽内の養殖用水を直接加温・冷却する場合、特に冷却の場合は付近にコンプレッサーやポンプを設置する場合が多く、その時は振動・騒音を伝えない様にすることが難しい。その場合はポンプと養殖水槽の場所を極力離して、その間に音や振動が伝わらない様にしなければならない。
【課題を解決するための手段】
【００１３】  飼育水槽内の水を飼育水槽内で直接加温・冷却するのではなく別に温度調整水槽を設けその中で養殖用水の温度を調整する。
その温度の調整方法は以下の通りである。
熱源装置により発生する熱または冷気を、熱媒体熱交換器を使って熱媒体へ伝達し、その熱媒体を養殖用水熱交換器に通すことによって、養殖用水へ熱または冷気を伝達する。【００１４】  さらに調温水槽内に配置された養殖用水熱交換器内と、熱媒体熱交換器内に熱媒体を循環させるための熱媒体循環ポンプとを設ける。
それにより養殖用水温度を養殖する水生生物に適した温度に制御する。【００１５】  適温に制御された養殖用水は送水ポンプにより養殖用水給水管を通して飼育水槽に送られ、その中で水生生物が飼育される。【００１６】  前記熱源装置としては、空調機を有する空調室の場合や、冷温蔵庫でも実現できる。そして前記温調水槽を設置する貯水室と、前記飼育水槽を設置する飼育室を別室に設けることにより、振動・騒音が飼育水槽に伝わることを防ぎ易くすることができる。
【発明の効果】
【００１７】  従来は、水槽の温度制御を行うため、特許文献２に示すような温水暖房装置を使って水を温めたり、ほぼ同様な構成の装置の冷媒を逆向きに流すことにより水を冷やしたりしていた。その場合どうしてもポンプを使うことが必要になる。するとポンプによる振動・騒音やポンプにより送り出される冷媒や養殖用水に生じる脈流により養殖水槽内の水生生物に影響が生じる。従来はこれを防ぐのは難しかったが、本発明を実施することにより振動・騒音や脈流の伝達は温度調整水槽内で遮断されることになる。また本発明を適用すれば、防振ゴムやクッション材を使用する必要は無くなる。
【図面の簡単な説明】
【００１８】
【図１】  水生生物養殖システムの全体を示す図
【発明を実施するための形態】
【００１９】  本発明水槽装置の実施例を、図１を用いて説明する。なお、図中に示す線分の矢印は冷媒または水の流れを表す。
【００２０】  本装置の主な構成要素としては、飼育水槽１９内の養殖用水を加温、冷却するための熱源を発生する熱源装置２と、熱源装置２の熱源を使用して加温・冷却された養殖用水と、養殖用水を貯める温度調整水槽１２と、温度調整水槽１２内に貯められた養殖用水を受けて、その中で水生生物の飼育を行う飼育水槽１９が必須である。
また、前期必須の構成要素を収納するための室や建屋も実際には必要になる。
【００２１】  本例では、熱源装置２は空調室３と名づけられた部屋またはその内部に配置された冷温蔵庫６を用いて構成されている。空調室３の内部に空調室内機４、外部に空調室外機５を配し、たとえば室内を冷却する場合は空調室内機５で熱を吸収して室内の空気を冷却する。
この冷却された空気が熱源に相当する。
【００２２】  そして室内には、空調室３内に生じた熱源を吸収するための熱媒体熱交換器７を配して、熱媒体熱交換器７内を循環する熱媒体に熱源の熱を吸収させる。
熱媒体は熱源の熱を吸収した後養殖用水熱交換器７を通して養殖用水に熱を伝達し、その後空調室３内の熱媒体回収槽８に送られる。
熱媒体は熱媒体循環ポンプ９によりこのように循環する。
熱媒体としては流体であれば多くのものが使用可能であるが、実用性を考えると水を使うことが多い。
【００２３】  養殖用水は取水管１６を通して温度調整水槽１２に給水される。これは外部から取水される場合もあるが、養殖用水をろ過して再使用する場合もある。
また、温度調整水槽１２内にろ過装置１４を配置し、それで養殖用水をろ過させてもよい。
この場合ろ過装置１４に送る空気は空調室３内に設置したエアーポンプ１０から送れば熱源で加温・冷却された空気が使えるので好都合である。
【００２４】  温度調整水槽１２内の養殖用水は、貯水室１１内に配置された送水ポンプ１５で飼育室１７内の飼育水槽１９に送る。これにより送水ポンプ１５の騒音・振動は飼育水槽１９に伝わることは無い。
空調室３を設け、空調室３の内部に空調室内機４、外部に空調室外機５を設け、空調室３内の気温を加温・冷却する。空調室３内には熱媒体熱交換機７を設置し、熱媒体を、熱媒体交換機７内を循環させ、熱媒体の温度を空調３室内の気温に合わせて加温・冷却する。
【００２５】  また、熱媒体熱交換器７と、熱媒体回収槽８と、熱媒体熱交換器７および熱媒体循環ポンプ９は空調３室内に設置した冷蔵庫６内に設置してもよい。
熱媒体は温調水槽１２内に配された養殖水用熱交換器１３に送られ、養殖用水を加温・冷却した後空調室３内に設けた熱媒体回収槽８へ送られる。熱媒体循環ポンプ９を用い、熱媒体を循環させる。
【００２６】  温調水槽１２内にろ過装置１４を挿入して養殖用水中の不純物をろ過すると好ましい。その場合、ろ過装置１４が必要とするエアーを送るエアーポンプ１０は空調室３に配置すれば、養殖用水の加温・冷却の一助になる。
【産業上の利用可能性】
【００２７】  本水生生物養殖システム１を使用することにより、養殖可能な地理的条件を大幅に広げることができる。また従来は養殖可能な地域・生物であっても地球温暖化の影響で近年養殖ができなくなっている水生生物の養殖も復活させる事が可能になる場合もある。
【符号の説明】
【００２８】  １        水生生物養殖システム
２        熱源装置
３        空調室
４        空調室内機
５        空調室外機
６        冷蔵庫
７        熱媒体熱交換器
８        熱媒体回収槽
９        熱媒体循環ポンプ
１０        エアーポンプ
１１        貯水室
１２        温度調整水槽
１３        養殖用水熱交換器
１４        ろ過装置
１５        送水ポンプ
１６        取水管
１７        飼育室
１８        養殖用水給水管
１９        飼育水槽
２０        養殖用水排水管
【要約】      （修正有）【課題】極力振動、騒音を発生しないで、水槽の温度制御を行うことができる飼育水槽の提供。【解決手段】飼育水槽１９内の水を飼育水槽１９内で直接加温・冷却するのではなく別に温度調整水槽１２を設けその中で養殖用水の温度を調整する。熱源装置２により発生する熱または冷気を、熱媒体熱交換器７を使って熱媒体へ伝達し、その熱媒体を養殖用水熱交換器１３に通すことによって、養殖用水へ熱または冷気を伝達する。【選択図】図１【図１】
0005926422.tif 000002